(57)【要約】【課題】  除雪作業性を良好に保つことができる除雪機を提供する。【解決手段】  除雪機１０Ｂは、機体１１にエンジン１２を備え、エンジン１２の下方に動力伝達部１３を備え、動力伝達部１３にエンジン１２を連結し、動力伝達部１３の左側部に左オーガ部３５を備え、動力伝達部１３の右側部に右オーガ部３６を備え、エンジン１２の回転力を動力伝達部１３を介して左右のオーガ部３５，３６に伝え、左右のオーガ部３５，３６を回転することで雪１２５を掻き取るものである。この除雪機１０Ｂは、左オーガ部３５で掻き取った雪１２５を機体幅方向の左側外方に向けて送り出し、右オーガ部３６で掻き取った雪を機体幅方向の右側外方に向けて送り出すものである。【選択図】      図４
2006257771.tif 000002
【特許請求の範囲】
【請求項１】
機体に動力源を備え、この動力源に動力伝達部を連結するとともに、この動力伝達部を機体の幅方向中央に備え、この動力伝達部の左側部に除雪用の左オーガ部を備え、動力伝達部の右側部に除雪用の右オーガ部を備え、前記動力源の回転力を動力伝達部を介して左右のオーガ部に伝え、左右のオーガ部を回転することで雪を掻き取る除雪機において、
前記左オーガ部は、前記掻き取った雪を機体幅方向の左側外方に向けて送り出し、
前記右オーガ部は、前記掻き取った雪を機体幅方向の右側外方に向けて送り出すことを特徴とする除雪機。
【請求項２】
前記左オーガ部と前記動力伝達部との間に左雪処理爪を設け、左雪処理爪の先端部を動力伝達部の左側外周に重ね合わせるように延ばし、
前記右オーガ部と前記動力伝達部との間に右雪処理爪を設け、右雪処理爪の先端部を動力伝達部の右側外周に重ね合わせるように延ばし、
左右の雪処理爪を、前方の雪に対して上方から食い込ませるように回転させることを特徴とする請求項１記載の除雪機。
【発明の詳細な説明】
【技術分野】
【０００１】
本発明は、機体にオーガ部を備え、オーガ部を回転させて雪を掻き取る除雪機に関する。
【背景技術】
【０００２】
除雪機のなかには、機体の前部に除雪用のオーガ部を備え、このオーガ部の後方にブロア部を備え、ブロア部の上方にシュータ部を備えたものがある（例えば、特許文献１参照。）。
特許文献１の除雪機によれば、オーガ部で雪を機体幅方向中央に掻き集め、掻き集めた雪をブロア部でシュータ部に跳ね上げ、跳ね上げた雪をシュータ部で所望位置に投雪する。
【０００３】
ところで、例えば、狭い敷地や住宅地で除雪作業をおこなう場合、ブロア部およびシュータ部で雪を投雪するスペースを確保することができない。
このため、狭い敷地や住宅地でも、除雪作業を良好におこなうことができる除雪機の実用化が望まれている。
【０００４】
この要望を満たす除雪機として、機体の前部に除雪板を設け、この除雪板の前方で、かつ上部近傍に、除雪板に沿わせてスクリューコンベアを回転自在に設け、このスクリューコンベアの一端部側にシュータを設けたものが提案されている（例えば、特許文献２参照。）。
【０００５】
特許文献２の除雪機によれば、スクリューコンベアを除雪板の左右の端部に亘って延ばし、スクリューコンベアを回転させながら機体を前進させることで、除雪板で雪を上方に掻き上げ、掻き上げた雪をスクリューコンベアでシュータに向けて送り出す。
スクリューコンベアで送り出した雪をシュータ内に送り、送った雪をシュータから排出する。
【０００６】
特許文献１の除雪機のように雪を投雪する必要がないので、雪を投雪するスペースを確保できない狭い敷地や住宅地などでも、除雪作業を良好におこなうことが可能である。
【特許文献１】特開平３−６６８１０号公報
【特許文献２】特開昭４９−１１０１１９号公報
【発明の開示】
【発明が解決しようとする課題】
【０００７】
ところで、特許文献２の除雪機は、スクリューコンベアを除雪板の左右の端部間に亘って延ばしたので、スクリューコンベアの全長が長くなってしまう。
そして、この全長の長いスクリューコンベアで、除雪板で掻き上げた全ての雪をシュータまで送り出さなければならない。
よって、スクリューコンベアで、多量の雪を、長い距離送り出すことになり、雪をシュータに送り出すまでに比較的長い時間を必要とする。
【０００８】
このため、スクリューコンベアに比較的多量の雪が残っている状態で、新たな雪を、除雪板でスクリューコンベアまで掻き上げてしまうことが考えられる。
スクリューコンベアに比較的多量の雪が残っている状態で、新たな雪がスクリューコンベアまで掻き上げられてしまうと、スクリューコンベアに雪が詰まって、スクリューコンベアが停止してしまう虞がある。
【０００９】
スクリューコンベアに雪が詰まらないようにするためには、除雪機の前進速度を抑えて、除雪板による雪の掻上げ速度を抑える必要がある。
しかし、除雪機の前進速度を抑えると、除雪作業性を良好に保つことが難しく、この観点において改良の余地が残されていた。
【００１０】
本発明は、除雪作業性を良好に保つことができる除雪機を提供することを課題とする。
【課題を解決するための手段】
【００１１】
請求項１に係る発明は、機体に動力源を備え、この動力源に動力伝達部を連結するとともに、この動力伝達部を機体の幅方向中央に備え、この動力伝達部の左側部に除雪用の左オーガ部を備え、動力伝達部の右側部に除雪用の右オーガ部を備え、前記動力源の回転力を動力伝達部を介して左右のオーガ部に伝え、左右のオーガ部を回転することで雪を掻き取る除雪機において、前記左オーガ部は、前記掻き取った雪を機体幅方向の左側外方に向けて送り出し、前記右オーガ部は、前記掻き取った雪を機体幅方向の右側外方に向けて送り出すことを特徴とする。
【００１２】
動力伝達部の左右側部にそれぞれ左右のオーガ部を備えた。そして、左オーガ部で掻き取った雪を左側外方に送り出し、右オーガ部で掻き取った雪を右側外方に送り出すようにした。
掻き取った雪を、左右のオーガ部で２分割して送り出すことで、左右のオーガ部による雪の送出量をそれぞれ約半分に減らし、かつ、雪の送出し距離を約半分に短くすることが可能になる。
【００１３】
よって、掻き取った雪を、比較的短い時間で迅速に外方に送り出すことができる。
これにより、左右のオーガ部による雪の掻き取り量を増すことが可能になり、左右のオーガの前進速度を上げることができる。
【００１４】
請求項２は、前記左オーガ部と前記動力伝達部との間に左雪処理爪を設け、左雪処理爪の先端部を動力伝達部の左側外周に重ね合わせるように延ばし、前記右オーガ部と前記動力伝達部との間に右雪処理爪を設け、右雪処理爪の先端部を動力伝達部の右側外周に重ね合わせるように延ばし、左右の雪処理爪を、前方の雪に対して上方から食い込ませるように回転させることを特徴とする。
【００１５】
左オーガ部と動力伝達部との間に左雪処理爪を設け、左雪処理爪の先端部を動力伝達部の左側外周に重ね合わせるように延ばした。さらに、右オーガ部と動力伝達部との間に右雪処理爪を設け、右雪処理爪の先端部を動力伝達部の右側外周に重ね合わせるように延ばした。
よって、動力伝達部に堆積しようとする雪を、左右の雪処理爪で除去することが可能になる。
これにより、動力伝達部に堆積した雪を、除雪機を停止させて取り除くという手間を省くことができる。
【００１６】
さらに、左右の雪処理爪を、前方の雪に対して上方から食い込ませるようにした。
前方の雪に対して左右の雪処理爪を上方から食い込ませた状態で、雪処理爪の回転を継続することで、雪処理爪の回転力を、左右のオーガ部を前進させる牽引力として活用することが可能になる。
これにより、左右のオーガ部を好適に前進させることができる。
【００１７】
加えて、左右の雪処理爪を、前方の雪に対して上方から食い込ませることで、硬い雪塊や、凍った雪塊を左右の雪処理爪で破砕することが可能になる。
これにより、除雪機の前方の硬い雪塊や、凍った雪塊を除去することが可能になり、左右のオーガ部を好適に前進させることができる。
【発明の効果】
【００１８】
請求項１に係る発明では、左右のオーガの前進速度を上げることで、除雪作業性を良好に保つことができるという利点がある。
【００１９】
請求項２に係る発明では、動力伝達部に雪が堆積することを左右の雪処理爪で防ぎ、かつ、左右のオーガ部を好適に前進させることで、除雪作業性をより一層良好に保つことができるという利点がある。
【発明を実施するための最良の形態】
【００２０】
本発明を実施するための最良の形態を添付図に基づいて以下に説明する。なお、「前」、「後」、「左」、「右」、「上」、「下」は運転者から見た方向に従い、Ｆｒは前側、Ｒｒは後側、Ｌは左側、Ｒは右側を示す。
【００２１】
図１は本発明に係る作業機（第１実施の形態）にロータリ部を備えた耕耘機の形態を示す斜視図である。
作業機１０は、必要に応じて、土壌を耕耘する形態に切り替えることや、雪を除雪する形態に切り替えることが可能に構成されている。
以下、作業機１０のうち、土壌を耕耘する形態を耕耘機１０Ａとし、雪を除雪する形態を除雪機１０Ｂ（図３参照）として説明する。
【００２２】
耕耘機１０Ａは、機体１１にエンジン（動力源）１２を備え、このエンジン１２の下方に動力伝達部１３を備え、この動力伝達部１３にエンジン１２を連結し、動力伝達部１３の前部１４に左右のロータリ部１５，１６を着脱自在に備え、動力伝達部１３の後部１８からハンドル１９を機体後方に上り勾配で延ばし、動力伝達部１３の後部１８に左右の駆動輪２２，２３（右側の駆動輪２３は図８参照）を駆動軸２４を介して連結し、動力伝達部１３の前部１４に一対の取付ブラケット２６，２６を介して走行補助輪２８を備える。
【００２３】
動力伝達部１３は、機体１１の幅方向中央に配設され、機体１１の前後方向に延びるケーシング３１を備える。
動力伝達部１３の前部１４、具体的には、ケーシング３１の前部１４に左右のロータリ部１５，１６を備える。
左ロータリ部１５は、前部１４の左側部に備えられる耕耘用のロータリ部である。
右ロータリ部１６は、前部１４の右側部に備えられる耕耘用のロータリ部である。
【００２４】
動力伝達部１３の後部１８、具体的には、ケーシング３１の後部１８に、左右の駆動輪２２，２３を連結する。
左右の駆動輪２２，２３は、左右のロータリ部１５，１６の後方に配設されている。
【００２５】
耕耘機１０Ａによれば、エンジン１２の回転力を動力伝達部１３を介して左右のロータリ部１５，１６および左右の駆動輪２２，２３に伝え、左右のロータリ部１５，１６および左右の駆動輪２２，２３を回転させる。
耕耘機１０Ａを左右の駆動輪２２，２３で前進させながら、左右のロータリ部１５，１６で土壌を耕耘する。
【００２６】
耕耘機１０Ａは、左ロータリ部１５を、除雪用の左オーガ部３５および左除雪タイン部３８（図３参照）と交換とし、右ロータリ部１６を、除雪用の右オーガ部３６および右除雪タイン部３９（図３参照）と交換することで除雪機１０Ｂに切り換え可能に構成したものである。
除雪機１０Ｂについては、図３〜図１２で詳しく説明する。
【００２７】
図２は第１実施の形態に係る耕耘機からロータリ部を分解した状態を示す斜視図である。
動力伝達部１３は、その前部１４に作業用伝達部３３を備える。
作業用伝達部３３は、前部１４の左側部に左回転筒体４１が回転自在に設けられ、前部１４の右側部に右回転筒体４２（図５参照）が回転自在に設けられ、左右の回転筒体４１，４２に左右のフランジ４３，４４（右フランジ４４は、図５参照）がそれぞれ設けられ、動力伝達部１３の前部１４に回転軸４５が回転自在に設けられている。
【００２８】
回転軸４５は、左半分の部位４５ａが左回転筒体４１を通して端部から突出させ、右半分の部位４５ｂ（図５参照）を右回転筒体４２を通して端部から突出させたものである。
以下、回転軸４５の左半分の部位４５ａを左回転軸とし、回転軸４５の右半分の部位４５ｂを右回転軸として説明する。
【００２９】
左フランジ４３は、略矩形状に形成され、四隅に取付孔４３ａ…（…は複数を示す）がそれぞれ形成されている。
右フランジ４４は、左フランジ４３と同様に、略矩形状に形成され、四隅に取付孔４４ａ…（図５参照）がそれぞれ形成されている。
【００３０】
作業用伝達部３３によれば、左右の回転筒体４１，４２が矢印Ａの如く正転（回転）し、左右の回転軸４５ａ，４５ｂが矢印Ｂの如く逆転（回転）する。
なお、作業用伝達部３３については、図５で詳しく説明する。
【００３１】
左ロータリ部１５は、左フランジ４３に内側ロータリ４７を着脱自在に設け、左回転軸４５ａに外側ロータリ４８を着脱自在に設けたものである。
内側ロータリ４７は、矩形状のプレート５１を備え、このプレート５１の四隅に内側耕耘爪５２…をそれぞれ取り付けるとともに、プレート５１の四隅に取付孔５１ａ…をそれぞれ形成し、プレート５１の中央に開口部５１ｂを形成したものである。
開口部５１ｂは、左回転筒体４１の外径より一回り大きく形成されている。
【００３２】
プレート５１の開口部５１ｂを左回転筒体４１に嵌め込み、プレート５１の取付孔５１ａ…と、左フランジ４３の取付孔４３ａ…にボルト５４を差し込む。
左フランジ４３の取付孔４３ａ…から突出したボルト５４にナット５５…を締め付けることで、左フランジ４３に内側ロータリ４７を着脱自在に取り付ける。
【００３３】
外側ロータリ４８は、左回転軸４５ａに嵌め込み可能なチューブ状の外側耕耘軸５６を備え、この外側耕耘軸５６の外側端部に矩形状のプレート５８を備え、このプレート５８の四隅に外側耕耘爪６２…をそれぞれ取り付け、外側耕耘軸５６の内側端部に取付孔６３を形成したものである。
【００３４】
外側耕耘軸５６の内端部を左回転軸４５ａに嵌め込み、外側耕耘軸５６の取付孔６３および左回転軸４５ａの取付孔６４にボルト６５を差し込む。
外側耕耘軸５６の取付孔６３から突出したボルト６５にナット６６を締め付けることで、左回転軸４５ａに外側ロータリ４８を着脱自在に取り付ける。
【００３５】
右ロータリ部１６は、左ロータリ部１５と左右対称の部材である。よって、右ロータリ部１６の各構成部材に左ロータリ部１５と同じ符号を付して、右ロータリ部１６の各構成部材についての詳しい説明を省略する。
【００３６】
耕耘機１０Ａによれば、左右の内側ロータリ４７，４７を矢印Ａの如く正転させ、左右の外側ロータリ４８，４８を矢印Ｂの如く逆転させることができる。
さらに、耕耘機１０Ａによれば、作業用伝達部３３から左右のロータリ部１５，１６をそれぞれ取り外すことが可能である。
【００３７】
ところで、動力伝達部１３の前部１４に走行補助輪２８を備える。
すなわち、ケーシング３１の前部１４に、一対の取付ブラケット２６，２６を所定間隔をおいてボルト止めする。一対の取付ブラケット２６，２６の上辺に複数のロック溝２６ａ…が形成されている。
【００３８】
一対の取付ブラケット２６，２６間に、アーム７１を支持軸７２を軸にして上下方向にスイング自在に取り付ける。
アーム７１を中間部位で下向きに折り曲げ、このアーム７１を補強ロッド７３で補強する。折り曲げた部位の先端部７１ａに支え部材７４を介して走行補助輪２８を回転自在に取り付ける。
【００３９】
アーム７１の途中に、ロック手段７５を備える。
ロック手段７５のロックピン７５ａを、ロック溝２６ａ…にセットすることで、走行補助輪２８の高さを変更する。
走行補助輪２８の高さを変更することで、左右のロータリ部１５，１６の高さを調整する。
よって、作業時に、左右のロータリ部１５，１６による耕耘深さを調整し、走行時に、左右のロータリ部１５，１６を路面の上方に配置することが可能になる。
【００４０】
図３は第１実施の形態に係る作業機にオーガ部を備えた除雪機の形態を示す斜視図である。
除雪機１０Ｂは、動力伝達部１３の前部１４から左右のロータリ部１５，１６（図２参照）が取り外され、この状態で、動力伝達部１３の前部１４に左右のオーガ部３５，３６および左右の除雪タイン部３８，３９が取り付け可能に構成されている。
加えて、除雪機１０Ｂは、動力伝達部１３の中央下部、すなわちケーシング３１の中央下部２１（図７参照）に除雪板４０が取り付け可能に構成されている。
【００４１】
除雪機１０Ｂに左右のオーガ部３５，３６および左右の除雪タイン部３８，３９を備えることで、エンジン１２の回転力を動力伝達部１３を介して左右のオーガ部３５，３６および左右の除雪タイン部３８，３９に伝える。
これにより、左右のオーガ部３５，３６を回転させるとともに、左右の除雪タイン部３８，３９を回転させて、左右のオーガ部３５，３６で雪を除去するとともに、左右の除雪タイン部３８，３９で雪を掻き取る。
また、除雪機１０Ｂに除雪板４０を備えることで、主に、左右の除雪タイン部３８，３９で掻き取った雪を機体幅方向の外方に向けて案内する。
【００４２】
以上説明したように、作業機１０のアタッチメントして、左右のロータリ部１５，１６（図２参照）、左右のオーガ部３５，３６、左右の除雪タイン部３８，３９、および除雪板４０を用意した。
そして、左ロータリ部１５と、左オーガ部３５および左除雪タイン部３８とを交換可能に構成し、かつ、右ロータリ部１６と、右オーガ部３６および右除雪タイン部３９とを交換可能に構成した。
さらに、除雪板４０を着脱自在に構成した。
【００４３】
そして、作業機１０に、図２に示す左右のロータリ部１５，１６を取り付けることで、耕耘機１０Ａの形態とし、耕耘作業を可能にした。
さらに、作業機１０に、左右のオーガ部３５，３６、左右の除雪タイン部３８，３９および除雪板４０を取り付けることで、除雪機１０Ｂの形態とし、除雪作業を可能にした。
これにより、作業機１０を、春季には耕耘機として使用することができ、冬季には除雪機として使用することができる。
【００４４】
図４は第１実施の形態に係る除雪機からオーガ部を分解した状態を示す斜視図である。
左除雪タイン部３８は、矩形状のプレート８１を備え、このプレート８１の四隅に第１、第２の雪処理爪８２，８２，８３，８３を取り付けるとともに、プレート８１の四隅に取付孔８１ａ…をそれぞれ形成し、プレート８１の中央に開口部８１ｂを形成したものである。
開口部８１ｂは、左回転筒体４１の外径より一回り大きく形成されている。
【００４５】
プレート８１の開口部８１ｂを左回転筒体４１に嵌め込み、プレート８１の取付孔８１ａ…と、左フランジ４３の取付孔４３ａ…にボルト８４…を差し込む。
左フランジ４３の取付孔４３ａ…から突出したボルト８４…にナット８５…を締め付けることで、左フランジ４３に左除雪タイン部３８を着脱自在に取り付ける。
【００４６】
右除雪タイン部３９は、左除雪タイン部３８と左右対称の部材である。よって、右除雪タイン部３９の各構成部材に左除雪タイン部３８と同じ符号を付して、右除雪タイン部３９の各構成部材についての詳しい説明を省略する。
【００４７】
左オーガ部３５は、左回転軸４５ａに嵌め込み可能なチューブ状のオーガ軸８６を備え、このオーガ軸８６にステー８７…を介して第１、第２のオーガブレード８８，８８を備え、オーガ軸８６の内側端部に取付孔８９を形成したものである。
【００４８】
オーガ軸８６の内端部を左回転軸４５ａに嵌め込み、オーガ軸８６の取付孔８９および左回転軸４５ａの取付孔６４にボルト９１を差し込む。
オーガ軸８６の取付孔８９から突出したボルト９１にナット９２を締め付けることで、左回転軸４５ａに左オーガ部３５を着脱自在に取り付ける。
【００４９】
右オーガ部３６は、左オーガ部３５と左右対称の部材である。よって、右オーガ部３６の各構成部材に３５左オーガ部と同じ符号を付して、右オーガ部３６の各構成部材についての詳しい説明を省略する。
【００５０】
除雪機１０Ｂによれば、作業用伝達部３３から左右のオーガ部３５，３６および左右の除雪タイン部３８，３９をそれぞれ取り外すことが可能である。
【００５１】
図５は第１実施の形態に係る除雪機の作業用伝達部を示す断面図である。
前述した作業用伝達部３３は、ケーシング３１の前部１４に左右の回転筒体４１，４２を回転自在に取り付け、左右の回転筒体４１，４２内に回転軸４５を回転自在に取り付け、回転軸４５の近傍に中間回転軸９４を回転自在に備える。
【００５２】
中間回転軸９４に、第１、第２のスプロケット９５，９６をスプライン結合するとともに、左右の中間ギア９７，９８をスプライン結合する。
よって、第１、第２のスプロケット９５，９６および左右の中間ギア９７，９８は、中間回転軸９４と一体に回転する。
【００５３】
左回転筒体４１を内筒体１０１と外筒体１０２とで構成し、内外の筒体１０１，１０２を一体的に連結する。内筒体１０１にギア１０３を形成し、このギア１０３を左中間ギア９７に噛み合わせる。
【００５４】
同様に、右回転筒体４２を内筒体１０５と外筒体１０６とで構成し、内外の筒体１０５，１０６を一体的に連結する。内筒体１０５にギア１０７を形成し、このギア１０７を右中間ギア９８に噛み合わせる。
【００５５】
回転軸４５に第３スプロケット１０８をスプライン結合する。第３スプロケット１０８と第２スプロケット９６とを第２チェーン１０９で連結する。
第１スプロケット９５を第１チェーン９９を介してメインスプロケット（図示せず）に連結し、このメインスプロケットをエンジン１２（図１参照）に連結する。
【００５６】
除雪機１０Ｂによれば、エンジン１２を駆動することにより、エンジン１２の回転をメインスプロケットに伝え、このメインスプロケットの回転を第１チェーン９９を介して第１スプロケット９５に伝える。
第１スプロケット９５が回転して、中間回転軸９４が第１スプロケット９５と同様に回転する。
【００５７】
中間回転軸９４が回転することにより、第２スプロケット９６および左右の中間ギア９７，９８が中間回転軸９４と同様に回転する。
左右の中間ギア９７，９８の回転が左右のギア１０３，１０７に伝わり、左右の回転筒体４１，４２が矢印Ａの如く正転する。これにより、左右の除雪タイン部３８，３９が矢印Ａの如く正転する。
【００５８】
一方、第２スプロケット９６の回転が第２チェーン１０９を介して第３スプロケット１０８に伝わり、第３スプロケット１０８が回転する。
第３スプロケット１０８が回転して、回転軸４５が矢印Ｂの如く逆転する。これにより、左右のオーガ部３５，３６が矢印Ｂの如く逆転する。
【００５９】
図４に戻って、左オーガ部３５の第１、第２のオーガブレード８８、８８は、オーガ軸８６に対して螺旋状に形成され、かつ、左オーガ部３５を矢印Ｂの如く逆転させた際に、掻き取った雪を機体幅方向の左側外方に向けて送り出すように形成されている。
【００６０】
同様に、右オーガ部３６の第１、第２のオーガブレード８８，８８は、オーガ軸８６に対して螺旋状に形成され、かつ、右オーガ部３６を矢印Ｂの如く逆転させた際に、掻き取った雪を機体幅方向の右側外方に向けて送り出すように形成されている。
【００６１】
ここで、除雪用のオーガ部を備えた通常の除雪機は、オーガ部で雪を機体幅方向中央に掻き集め、掻き集めた雪をブロア部でシュータ部に跳ね上げ、跳ね上げた雪をシュータ部で所望位置に投雪するものである。
これに対して、除雪機１０Ｂは、左右のオーガ部３５，３６で掻き取った雪を機体幅方向の外方に向けて送り出すことで、通常の除雪機のようにブロア部を用いて雪を投雪する必要がない。
よって、ブロア部を駆動するための出力を不要にできるので、エンジン１２の出力を小さく抑えることができる。
【００６２】
図６は第１実施の形態に係る除雪機から除雪板を分解した状態を示す斜視図である。
除雪機１０Ｂは、動力伝達部１３の中央下部、すなわちケーシング３１の中央下部２１（図７も参照）に除雪板４０を備える。
除雪板４０は、ブレード本体１１１を平面視で略Ｖ字状に形成し、ブレード本体１１１に支持部１１２を備え、支持部１１２を中央下部２１にボルト１１３，１１３およびナット１１４，１１４で固定する部材である。
【００６３】
ブレード本体１１１は、左側部位１１５および右側部位１１６で略Ｖ字状に形成し、左側部位１１５と右側部位１１６とに亘って補強部材１１７が取り付けられている。
左側部位１１５は、中央の突出部４０ａから左端部１１５ａに向けて徐々に後方に移動するように湾曲状に形成され、左端部１１５ａの下部から左延出部１２１が斜め後方に向けて延ばされている。
右側部位１１６は、中央から右端部１１６ａに向けて徐々に後方に移動するように湾曲状に形成され、右端部１１６の下部から右延出部１２２が斜め後方に向けて延ばされている。
【００６４】
ブレード本体１１１は、左右の端部１１５ａ，１１６ａ間の距離がＤ２、左右の延出部１２１，１２２間の距離がＤ３になるように設定されている。
ここで、左右の駆動輪２２，２３間の距離はＤ１である。右駆動輪２３は図８に示す。
距離Ｄ１、距離Ｄ２、距離Ｄ３の関係は、距離Ｄ２＜距離Ｄ１＜距離Ｄ３となる。
【００６５】
距離Ｄ２＜距離Ｄ１とすることで、ブレード本体１１１の左右の端部１１５ａ，１１６ａを、左右の駆動輪２２，２３間に配置することが可能になる。
左右の駆動輪２２，２３間の空間を有効に利用して、ブレード本体１１１を取り付けることが可能になる。
【００６６】
一方、距離Ｄ１＜距離Ｄ３とすることで、ブレード本体１１１で雪を左右の駆動輪２２，２３の外側まで案内することが可能になる。
左右の駆動輪２２，２３の前方から雪を除去することで、左右の駆動輪２２，２３の前進走行を円滑におこなうことが可能になる。
【００６７】
支持部１１２は、補強部材１１７に取り付けられ、上部に一対の支え片１１８，１１８を所定間隔をおいて設け、一対の支え片１１８，１１８に取付孔１１８ａ…を形成したものである。
【００６８】
一対の支え片１１８，１１８をケーシング３１の中央下部２１に嵌め込み、中央下部２１の取付孔２１ａ，２１ａに支え片１１８，１１８の取付孔１１８ａ…を合わせる。
これらの取付孔２１ａ，１１８ａにボルト１１３，１１３を差し込み、取付孔１１８ａ，１１８ａから突出したボルト１１３，１１３をナット１１４，１１４で締め付ける。
これにより、ケーシング３１の中央下部２１に除雪板４０を着脱自在に取り付ける。
【００６９】
図７は第１実施の形態に係る除雪機にオーガ部および除雪板を備えた状態を示す側面図である。
除雪機１０Ｂは、左右のオーガ部３５，３６および左右の除雪タイン部３８，３９の後方に、除雪板４０を備える。
この除雪板４０は、主に、左右のオーガ部３５，３６間の雪１２５を機体幅方向の外方に向けて案内するものである。
【００７０】
ここで、除雪機１０Ｂに左右のオーガ部３５，３６、左右の除雪タイン部３８，３９および除雪板４０を備え、除雪作業をおこなう場合には、走行補助輪２８を上方に移動して、除雪機１０Ｂを除雪作業の姿勢に保つ。
すなわち、ロック手段７５のロックピン７５ａを、最上位のロック溝２６ａ…にセットすることで、走行補助輪２８を上方に移動する。
走行補助輪２８を上方に移動させることで、除雪板４０を路面１２６に接地させ、かつ、左右のオーガ部３５，３６および左右の除雪タイン部３８，３９を路面１２６から僅かな距離Ｈだけ上昇させた状態を保つ。
【００７１】
一方、この除雪機１０Ｂを通常に走行させる場合には、走行補助輪２８を下方に移動して走行の姿勢に保つ。
走行補助輪２８を下方に移動させることで、左右のオーガ部３５，３６、左右の除雪タイン部３８，３９および除雪板４０を路面１２６の上方に配置した状態を保つ。
【００７２】
図８は第１実施の形態に係る除雪機にオーガ部および除雪板を備えた状態を示す正面図である。
除雪板４０は、左右の端部１１５ａ，１１６ａ間の距離がＤ２、左右の延出部１２１，１２２間の距離がＤ３になるように設定されている。
ここで、左右の駆動輪２２，２３間の距離をＤ１である。
距離Ｄ１、距離Ｄ２、距離Ｄ３の関係は、前述したように、距離Ｄ２＜距離Ｄ１＜距離Ｄ３となる。
【００７３】
左オーガ部３５と、ケーシング３１の前部１４との間に、左除雪タイン部３８が設けられている。
右オーガ部３６と、ケーシング３１の前部１４との間に、右除雪タイン部３９が設けられている。
【００７４】
左除雪タイン部３８は、第１，第２の雪処理爪８２，８２，８３，８３を有する。
左除雪タイン部３８の第１雪処理爪（左雪処理爪）８２は、先端部８２ａを前部１４の左側外周１４ａに重ね合わせるように湾曲状に延ばした爪である。
第２雪処理爪８３は、先端部８３ａを左オーガ部３５に向けて外側に湾曲状に延ばした爪である。
【００７５】
右除雪タイン部３９は、第１，第２の雪処理爪８２，８２，８３，８３を有する。
右除雪タイン部３９の第１雪処理爪（右雪処理爪）８２は、先端部８２ａを前部１４の右側外周１４ｂに重ね合わせるように湾曲状に延ばした爪である。
第２雪処理爪８３は、先端部８３ａを右オーガ部３６に向けて外側に湾曲状に延ばした爪である。
【００７６】
左除雪タイン部３８の左側に左オーガ部３５を備える。左オーガ部３５は、オーガ幅がＷに設定され、内側端部３５ａが、第２雪処理爪８３の先端部８３ａの近傍に配置され、外側端部３５ｂが、左延出部１２１の外側に張り出したものである。
【００７７】
同様に、右除雪タイン部３９の右側に右オーガ部３６を備える。右オーガ部３６は、オーガ幅がＷに設定され、内側端部３６ａが、第２雪処理爪８３の先端部８３ａの近傍に配置され、外側端部３６ｂが、右延出部１２２の外側に張り出したものである。
【００７８】
図７に戻って、左右の除雪タイン部３８，３９を矢印Ａの如く正転させて、左右のオーガ部３５，３６を矢印Ｂの如く逆転させる。
左除雪タイン部３８を矢印Ａの如く正転させることで、左側の第１、第２の雪処理爪８２，８２，８３，８３を、前方の雪１２５に対して上方から食い込ませる。
同様に、右除雪タイン部３９を矢印Ａの如く正転させることで、右側の第１、第２の雪処理爪８２，８２，８３，８３を、前方の雪１２５に対して上方から食い込ませる。
【００７９】
次に、除雪機１０Ｂで除雪作業をおこなう例を図９〜図１２に基づいて説明する。
図９（ａ），（ｂ）は第１実施の形態に係る除雪機の除雪タイン部およびオーガ部で除雪をおこなう例を説明する図である。
（ａ）において、エンジン１２を駆動することにより、左右の除雪タイン部３８，３９を矢印Ａの如く正転するとともに、左右のオーガ部３５，３６を矢印Ｂの如く逆転する。
同時に、左右の駆動輪２２，２３を回転することで、除雪機１０Ｂを矢印Ｃの如く前進させる。
左右の除雪タイン部３８，３９および左右のオーガ部３５，３６が、前方の雪１２５に当たる。
【００８０】
左除雪タイン部３８を矢印Ａの如く正転させることで、左側の第１、第２の雪処理爪８２，８２，８３，８３を、前方の雪１２５に対して上方から食い込ませる。
同様に、右除雪タイン部３９を矢印Ａの如く正転させることで、右側の第１、第２の雪処理爪８２，８２，８３，８３を、前方の雪１２５に対して上方から食い込ませる。
【００８１】
左右の雪処理爪８２…，８３…を雪１２５に対して上方から食い込ませた状態で、雪処理爪８２…，８３…の回転を継続することで、雪処理爪８２…，８３…の回転力を、除雪機１０Ｂを前進させる牽引力として活用することが可能になる。
これにより、除雪機１０Ｂを好適に前進させることができる。
【００８２】
（ｂ）において、左側の第１雪処理爪８２，８２の先端部８２ａ，８２ａが、前部１４の左側外周１４ａに重ね合わせられている。
同様に、右側の第１雪処理爪８２，８２の先端部８２ａ，８２ａが、前部１４の右側外周１４ｂに重ね合わせられている。
【００８３】
よって、左側の第１雪処理爪８２，８２や右側の第１雪処理爪８２，８２が矢印Ａの如く正転することで、前部１４の左右側の外周１４ａ，１４ｂに、堆積しようとする雪１２５を、左右側の第１雪処理爪８２…で除去する。
【００８４】
一方、左側の第２雪処理爪８３，８３の先端部８３ａ，８３ａが、左オーガ部３５の内側端部３５ａ近傍まで外側に向けて延ばされている。
同様に、右側の第２雪処理爪８３，８３の先端部８３ａ，８３ａが、右オーガ部３６の内側端部３６ａ近傍まで外側に向けて延ばされている。
【００８５】
よって、左側の第２雪処理爪８３，８３が矢印Ａの如く正転することで、左オーガ部３５の内側端部３５ｂ近傍の雪１２５を掻き取る。
同様に、右側の第２雪処理爪８３，８３が正転することで、右オーガ部３６の内側端部３６ａ近傍の雪１２５を掻き取る。
【００８６】
ここで、左側の第１、第２の雪処理爪８２…，８３…や、右側の第１、第２の雪処理爪８２…，８３…を、矢印Ａの如く正転させて雪１２５に対して上方から食い込ませることで、硬い雪塊１２５や、凍った雪塊１２５を左右の雪処理爪８２…，８３…で破砕する。
よって、除雪機１０Ｂの前方の硬い雪塊１２５や、凍った雪塊１２５を除去する。
【００８７】
また、左オーガ部３５が矢印Ｂの如く逆転することで、左側のオーガブレード８８、８８で雪１２５を掻き取り、掻き取った雪１２５を機体幅方向の左側外方に向けて矢印Ｄの如く送り出す。
同様に、右オーガ部３６が矢印Ｂの如く逆転することで、右側のオーガブレード８８、８８で雪１２５を掻き取り、掻き取った雪１２５を機体幅方向の右側外方に向けて矢印Ｅの如く送り出す。
【００８８】
このように、掻き取った雪１２５を、左右のオーガ部３５，３６で２分割して外方に送り出すことで、左右のオーガ部３５，３６による雪１２５の送出量をそれぞれ約半分に減らし、かつ、雪１２５の送出し距離を約半分に短くする。
よって、掻き取った雪１２５を、比較的短い時間で迅速に外方に送り出すことができる。これにより、左右のオーガ部３５，３６による雪１２５の掻き取り量を増すことが可能になり、左右のオーガ３５，３６、すなわち、除雪機１０Ｂの前進速度を上げることができる。
【００８９】
図１０（ａ），（ｂ）は第１実施の形態に係る除雪機の除雪板で雪を案内する例を説明する図である。
（ａ）において、左オーガ部３５で雪１２５を、左オーガ部３５の外側端部３５ｂの外方まで送り出す。送り出した雪１２５は、左駆動輪２２および左延出部１２１の外側に位置する。
【００９０】
同様に、右オーガ部３６で雪１２５を、右オーガ部３６の外側端部３６ｂの外方まで送り出す。送り出した雪１２５は、右駆動輪２３および右延出部１２２の外側に位置する。
一方、左右の雪処理部３８，３９（図９（ｂ）参照）で掻き取った雪１２５は、ケーシング３１の前部１４（図９（ｂ）参照）下方で、かつ、除雪板４０（詳しくは、突出部４０ａ）の前方に残る。
【００９１】
（ｂ）において、除雪機１０Ｂが矢印Ｃの如く継続して前進することで、下方に残った雪１２５に除雪板４０の中央の突出部４０ａが当たる。
突出部４０ａが当たった雪１２５のうち、左側半分を、ブレード本体１１１の左側部位１１５で機体幅方向の左側外方に向けて矢印Ｆの如く案内する。
同様に、突出部４０ａが当たった雪１２５のうち、右側半分を、ブレード本体１１１の左側部位１１６（図６も参照）で機体幅方向の右側外方に向けて案内する。
【００９２】
図１１は第１実施の形態に係る除雪機の除雪板で駆動輪の外側に雪を除去する例を説明する図である。
ブレード本体１１１の左側部位１１５で、左半分の雪１２５を矢印Ｆの如く案内することで、左半分の雪１２５が左延出部１２１の外側に除去される。
同様に、ブレード本体１１１の右側部位１１６で、右半分の雪１２５を矢印Ｇの如く案内することで、右半分の雪１２５が右延出部１２２の外側に除去される。
よって、左右のオーガ部３５，３６（図１０（ｂ）参照）で外方に送り出すことができなかった雪１２５を、除雪板４０で外方に確実に除去することができる。
【００９３】
ここで、ブレード本体１１１の左右の延出部１２１，１２２間の距離Ｄ３は、左右の駆動輪２２，２３間の距離Ｄ１より大きい。
よって、突出部４０ａが当たった雪１２５を、除雪板４０で左右の駆動輪２２，２３の外側まで案内する。
これにより、左右の駆動輪２２，２３の前方から雪を除去することで、左右の駆動輪２２，２３の前進走行を円滑におこなうことが可能になる。
【００９４】
以上説明したように、第１実施の形態の除雪機１０Ｂによれば、機体１１の両側に雪１２５を送り出すことが可能になり、雪を投雪する必要がない。
これにより、雪を投雪するスペースが確保できない狭い敷地や住宅地などでも、除雪作業を良好におこなうことができる。
【００９５】
ここで、図１２に基づいて、第１実施の形態の除雪機１０Ｂを用いて、狭い敷地内を、人や自動車などが通行可能に除雪する際に、好ましい除雪作業例の手順を説明する。
【００９６】
図１２は第１実施の形態に係る除雪機による除雪作業手順を説明する図である。
（ａ）において、先ず、除雪機１０Ｂの左右のオーガ部３５，３６および左右の除雪タイン部３８，３９を回転させた状態で、狭い敷地１２７の中央エリア１２７ａを矢印ａの如く前進走行する。
【００９７】
これにより、中央エリア１２７ａの雪を、左右のオーガ部３５，３６および除雪板４０で除雪機１０Ｂの左右側のエリア１２７ｂ，１２７ｃに除雪する。
中央エリア１２７ａの除雪完了後、除雪機１０Ｂを矢印ｂの如く左旋回させる。
【００９８】
（ｂ）において、除雪機１０Ｂの右オーガ部３６および右除雪タイン部３９を、左側エリア１２７ｂに合わせる。
この状態で、除雪機１０Ｂを矢印ｃの如く前進走行させて、左側エリア１２７ｂの雪を、右オーガ部３６および除雪板４０で除雪機１０Ｂの左側エリア１２７ｂの外側のエリア１２７ｄに除雪する。
左側エリア１２７ｂの除雪完了後、除雪機１０Ｂを矢印ｄの如く左旋回させる。
【００９９】
（ｃ）において、除雪機１０Ｂの右オーガ部３６および右除雪タイン部３９を、右側エリア１２７ｃに合わせる。
この状態で、除雪機１０Ｂを矢印ｅの如く前進走行させて、右側エリア１２７ｃの雪を、右オーガ部３６および除雪板４０で除雪機１０Ｂの右側エリア１２７ｃの外側のエリア１２７ｅに除雪する。
【０１００】
これにより、中央エリア１２７ａ、左側エリア１２７ｂおよび右側エリア１２７ｃを除雪することができ、例えば、狭い敷地１２７において、人や自動車などが通行するためのエリア１２８を除雪することができる。
なお、除雪エリア１２８をさらに広げたい場合には、上述した除雪作業手順を継続することで除雪エリア１２８を広げる。
【０１０１】
次に、第２実施の形態の作業機を図１３〜図１９に基づいて説明する。なお、第２実施の形態の作業機において、第１実施の形態と同一類似部材については同一符号を付して説明を省略する。
【０１０２】
図１３は本発明に係る作業機（第２実施の形態）にロータリ部を備えた耕耘機の形態を示す分解斜視図である。
作業機１３０は、第１実施の形態の作業機１０と同様に、必要に応じて、土壌を耕耘する形態に切り替えることや、雪を除雪する形態に切り替えることが可能に構成されている。
以下、作業機１３０のうち、土壌を耕耘する形態を耕耘機１３０Ａとし、雪を除雪する形態を除雪機１３０Ｂ（図１４参照）として説明する。
【０１０３】
耕耘機１３０Ａは、動力伝達部１３１の前部１３２に、第１実施の形態の左右のロータリ部１５，１６に代えて左右のロータリ部１３５，１３６を着脱自在に備える。
左ロータリ部１３５は、前部１３２の左側部に備えられる耕耘用のロータリ部である。
右ロータリ部１３６は、前部１３２の右側部に備えられる耕耘用のロータリ部である。
【０１０４】
この耕耘機１３０Ａは、左ロータリ部１３５を、除雪用の左オーガ部３５（図４、図１４参照）と交換可能とし、右ロータリ部１３６を、除雪用の右オーガ部３６（図４、図１４参照）と交換可能に構成したものである。
【０１０５】
動力伝達部１３１は、第１実施の形態の動力伝達部１３（図２参照）と同様に、その前部１３２に作業用伝達部１４１を備える。
作業用伝達部１４１は、前部１３２に回転軸１４２が回転自在に設けられている。
【０１０６】
回転軸１４２は、左半分の部位１４２ａを、前部１３２の左側部から突出させ、右半分の部位１４２ｂ（図１５参照）を、前部１３２の右側部から突出させたものである。
以下、回転軸１４２の左半分の部位１４２ａを左回転軸とし、回転軸１４２の右半分の部位１４２ｂを右回転軸として説明する。
【０１０７】
作業用伝達部１４１によれば、左右の回転軸１４２ａ，１４２ｂが矢印Ｂの如く逆転（回転）する。
なお、作業用伝達部１４１については、図１４で詳しく説明する。
【０１０８】
左ロータリ部１３５は、左回転軸１４２ａに嵌め込み可能なチューブ状の耕耘軸１４５を備え、この耕耘軸１４５の略中央部に矩形状の内側プレート１４６を備え、この内側プレート１４６の四隅に内側耕耘爪１４７…をそれぞれ取り付け、左ロータリ部１３５は、耕耘軸１４５の外側端部に矩形状の外側プレート１４８を備え、この外側プレート１４８の四隅に外側耕耘爪１４９…をそれぞれ取り付け、耕耘軸１４５の内側端部に取付孔１５１を形成したものである。
【０１０９】
耕耘軸１４５の内端部を左回転軸１４２ａに嵌め込み、耕耘軸１４５の取付孔１５１および左回転軸１４２ａの取付孔１５２にボルト１５３を差し込む。
耕耘軸１４５の取付孔１５１から突出したボルト１５３にナット１５４を締め付けることで、左回転軸１４２ａに左ロータリ部１３５を着脱自在に取り付ける。
【０１１０】
右ロータリ部１３６は、左ロータリ部１３５と左右対称の部材である。よって、右ロータリ部１３６の各構成部材に左ロータリ部１３５と同じ符号を付して、右ロータリ部１３６の各構成部材についての詳しい説明を省略する。
【０１１１】
耕耘機１３０Ａによれば、左右の回転軸１４２ａ，１４２ｂで左右のロータリ部１３５，１３６を矢印Ｂの如く逆転させることが可能である。
さらに、耕耘機１３０Ａによれば、作業用伝達部１４１から左右のロータリ部１３５，１３６をそれぞれ取り外すことが可能である。
【０１１２】
図１４は第２実施の形態に係る作業機にオーガ部を備えた除雪機の形態を示す分解斜視図である。
除雪機１３０Ｂは、除雪用の左右のオーガ部３５，３６を備える。
左オーガ部３５は、オーガ軸８６の内端部を左回転軸１４２ａに嵌め込み、オーガ軸８６の取付孔８９および左回転軸１４２ａの取付孔１５２にボルト１５６を差し込み、オーガ軸８６の取付孔８９から突出したボルト１５６にナット１５７を締め付けることで、左回転軸１４２ａに着脱自在に取り付けるものである。
【０１１３】
右オーガ部３６は、左オーガ部３５と同様に、右回転軸１４２ｂ（図１５参照）に着脱自在に取り付けるものである。
【０１１４】
すなわち、除雪機１３０Ｂによれば、作業用伝達部１４１から左右のオーガ部３５，３６がそれぞれ取り外すことができる。
【０１１５】
図１５は第２実施の形態に係る除雪機の作業用伝達部を示す断面図である。
前述した作業用伝達部１４１は、ケーシング１６１の前部１３２に回転軸１４２を回転自在に備える。
回転軸１４２にスプロケット１６２をスプライン結合する。スプロケット１６２をチェーン１６３を介してメインスプロケット（図示せず）に連結し、このメインスプロケットをエンジン１２（図１４参照）に連結する。
【０１１６】
除雪機１３０Ｂによれば、エンジン１２を駆動することにより、エンジン１２の回転をメインスプロケットに伝え、このメインスプロケットの回転をチェーン１６３を介してスプロケット１６２に伝える。
スプロケット１６２が回転して、回転軸１４２が矢印Ｂの如く逆転する。これにより、左右のオーガ部３５，３６が矢印Ｂの如く逆転する。
【０１１７】
図１６は第２実施の形態に係る除雪機にオーガ部および除雪板を備えた状態を示す正面図である。
前部１３２の左側に左オーガ部３５を備える。左オーガ部３５は、オーガ幅がＷに設定され、内側端部３５ａが、前部１３２の左側部の近傍に配置され、外側端部３５ｂが、左延出部１２１の外側に張り出したものである。
【０１１８】
同様に、前部１３２の右側に右オーガ部３６を備える。右オーガ部３６は、オーガ幅がＷに設定され、内側端部３６ａが、前部１３２の右側部の近傍に配置され、外側端部３６ｂが、右延出部１２２の外側に張り出したものである。
【０１１９】
次に、除雪機１３０Ｂで除雪作業をおこなう例を図１７〜図１９に基づいて説明する。
図１７（ａ），（ｂ）は第２実施の形態に係る除雪機のオーガ部で除雪をおこなう例を説明する図である。
（ａ）において、エンジン１２を駆動することにより、左右のオーガ部３５，３６を矢印Ｂの如く逆転する。
同時に、左右の駆動輪２２，２３を回転することで、除雪機１３０Ｂを矢印Ｈの如く前進させる。左右のオーガ部３５，３６が雪に当たる。
【０１２０】
（ｂ）において、左オーガ部３５が矢印Ｂの如く逆転することで、左側のオーガブレード８８、８８で雪１２５を掻き取り、掻き取った雪１２５を機体幅方向の左側外方に向けて矢印Ｉの如く送り出す。
右オーガ部３６が矢印Ｂの如く逆転することで、右側のオーガブレード８８、８８で雪１２５を掻き取り、掻き取った雪１２５を機体幅方向の右側外方に向けて矢印Ｊの如く送り出す。
【０１２１】
掻き取った雪１２５を、左右のオーガ部３５，３６で２分割して送り出すことで、左右のオーガ部３５，３６による雪１２５の送出量をそれぞれ約半分に減らし、かつ、雪１２５の送出し距離を約半分に短くする。
よって、掻き取った雪１２５を、比較的短い時間で迅速に外方に送り出すことができる。これにより、左右のオーガ部３５，３６による雪１２５の掻き取り量を増すことが可能になり、左右のオーガ３５，３６、すなわち除雪機１３０Ｂの前進速度を上げることができる。
【０１２２】
図１８（ａ），（ｂ）は第２実施の形態に係る除雪機の除雪板で雪を案内する例を説明する図である。
（ａ）において、左オーガ部３５で雪１２５を、左オーガ部３５の外側端部３５ｂの外方まで送り出す。送り出した雪１２５は、左駆動輪２２および左延出部１２１の外側に位置する。
【０１２３】
同様に、右オーガ部３６で雪１２５を、右オーガ部３６の外側端部３６ｂの外方まで送り出す。送り出した雪１２５は、右駆動輪２３および右延出部１２２の外側に位置する。
一方、左右のオーガ部３５，３６間の雪１２５は、ケーシング１６１の前部１３２（図１６参照）下方に残る。
【０１２４】
（ｂ）において、除雪機１３０Ｂが矢印Ｈの如く継続して前進することで、下方に残った雪１２５に除雪板４０の中央の突出部４０ａが当たる。
突出部４０ａが当たった雪１２５のうち、左側半分を、ブレード本体１１１の左側部位１１５で機体幅方向の左側外方に向けて矢印Ｋの如く案内する。
同様に、突出部４０ａが当たった雪１２５のうち、右側半分を、ブレード本体１１１の左側部位１１６（図６参照）で機体幅方向の右側外方に向けて案内する。
【０１２５】
図１９は第２実施の形態に係る除雪機の除雪板で駆動輪の外側に雪を除去する例を説明する図である。
ブレード本体１１１の左側部位１１５で、左半分の雪１２５を矢印Ｋの如く案内することで、左半分の雪１２５が左延出部１２１の外側に除去される。
同様に、ブレード本体１１１の右側部位１１６で、右半分の雪１２５を矢印Ｌの如く案内することで、右半分の雪１２５が右延出部１２２の外側に除去される。
よって、左右のオーガ部３５，３６（図１７（ｂ）参照）で外方に送り出すことができなかった雪１２５を、除雪板４０で外方に確実に除去することができる。
【０１２６】
ここで、ブレード本体１１１の左右の延出部１２１，１２２間の距離Ｄ３は、左右の駆動輪２２，２３間の距離Ｄ１より大きい。
よって、突出部４０ａが当たった雪１２５を、除雪板４０で左右の駆動輪２２，２３の外側まで案内する。
これにより、左右の駆動輪２２，２３の前方から雪を除去することで、左右の駆動輪２２，２３の前進走行を円滑におこなうことが可能になる。
【０１２７】
以上説明したように、第２実施の形態の除雪機１３０Ｂによれば、第１実施の形態の除雪機１０Ｂと同様の効果を得ることができる。
【０１２８】
なお、前記実施の形態では、除雪板４０を平面視で略Ｖ字状に形成した例について説明したが、これに限らないで、除雪板４０を平面視でストレートに形成することも可能である。
除雪板４０を平面視でストレートに形成した場合、ストレートの除雪板４０に到達した雪１２５のうち、左側の雪１２５を左オーガ部３５で機体幅方向の左側外方に向けて送り出し、右側の雪１２５を右オーガ部３６で機体幅方向の右側外方に向けて送り出す。
これにより、除雪板４０を平面視でストレートに形成した場合でも、第１、第２の実施の形態と同様の効果を得ることができる。
【０１２９】
また、前記実施の形態では、本発明を適用する除雪機１０Ｂ，１３０Ｂとして、耕耘機１０Ａ，１３０Ａに切り換え可能なものを例示したが、これに限らないで、除雪作業のみが可能な専用除雪機に本発明を適用しても同様の効果を得ることができる。
【０１３０】
さらに、前記実施の形態では、本発明を適用する除雪機１０Ｂ，１３０Ｂとして、除雪板４０を備えたものを例示したが、これに限らないで、除雪板４０を用いない除雪機に本発明を適用しても同様の効果を得ることができる。
【０１３１】
また、前記実施の形態では、第１、第２のオーガブレード８８として、左右のオーガ部３５，３６が逆転したとき、雪１２５を外方に送り出すものを例示したが、これに限らないで、第１、第２のオーガブレード８８として、左右のオーガ部３５，３６が正転したとき、雪１２５を外方に送り出すものを用いることも可能である。
【０１３２】
さらに、前記実施の形態では、左右のオーガ部３５，３６で雪１２５を同時に除雪する例について説明したが、これに限らないで、左右のオーガ部３５，３６のいずれか一方のみを用いて雪１２５を除雪することも可能である。
【０１３３】
また、前記実施の形態では、本発明を車輪式の除雪機１０Ｂ，１３０Ｂに適用させた例について説明したが、これに限らないで、例えば、クローラ式の除雪機に適用することも可能である。
【産業上の利用可能性】
【０１３４】
本発明は、機体にオーガ部を備え、オーガ部を回転させて雪を掻き取る除雪機への適用に好適である。
【図面の簡単な説明】
【０１３５】
【図１】本発明に係る作業機（第１実施の形態）にロータリ部を備えた耕耘機の形態を示す斜視図である。
【図２】第１実施の形態に係る耕耘機からロータリ部を分解した状態を示す斜視図である。
【図３】第１実施の形態に係る作業機にオーガ部を備えた除雪機の形態を示す斜視図である。
【図４】第１実施の形態に係る除雪機からオーガ部を分解した状態を示す斜視図である。
【図５】第１実施の形態に係る除雪機の作業用伝達部を示す断面図である。
【図６】第１実施の形態に係る除雪機から除雪板を分解した状態を示す斜視図である。
【図７】第１実施の形態に係る除雪機にオーガ部および除雪板を備えた状態を示す側面図である。
【図８】第１実施の形態に係る除雪機にオーガ部および除雪板を備えた状態を示す正面図である。
【図９】第１実施の形態に係る除雪機の除雪タイン部およびオーガ部で除雪をおこなう例を説明する図である。
【図１０】第１実施の形態に係る除雪機の除雪板で雪を案内する例を説明する図である。
【図１１】第１実施の形態に係る除雪機の除雪板で駆動輪の外側に雪を除去する例を説明する図である。
【図１２】第１実施の形態に係る除雪機による除雪作業手順を説明する図である。
【図１３】本発明に係る作業機（第２実施の形態）にロータリ部を備えた耕耘機の形態を示す分解斜視図である。
【図１４】第２実施の形態に係る作業機にオーガ部を備えた除雪機の形態を示す分解斜視図である。
【図１５】第２実施の形態に係る除雪機の作業用伝達部を示す断面図である。
【図１６】第２実施の形態に係る除雪機にオーガ部および除雪板を備えた状態を示す正面図である。
【図１７】第２実施の形態に係る除雪機のオーガ部で除雪をおこなう例を説明する図である。
【図１８】第２実施の形態に係る除雪機の除雪板で雪を案内する例を説明する図である。
【図１９】第２実施の形態に係る除雪機の除雪板で駆動輪の外側に雪を除去する例を説明する図である。
【符号の説明】
【０１３６】
１０，１３０…作業機、１０Ｂ，１３０Ｂ…除雪機、１１…機体、１２…エンジン（動力源）、１３…動力伝達部、１４…前部、１４ａ…動力伝達部の左側外周、１４ｂ…動力伝達部の右側外周、３５…左オーガ部、３６…右オーガ部、８２…第１雪処理爪（左右の雪処理爪）、８２ａ…第１雪処理爪の先端部、１２５…雪。
【図１】
2006257771.tif 000003
【図２】
2006257771.tif 000004
【図３】
2006257771.tif 000005
【図４】
2006257771.tif 000006
【図５】
2006257771.tif 000007
【図６】
2006257771.tif 000008
【図７】
2006257771.tif 000009
【図８】
2006257771.tif 000010
【図９】
2006257771.tif 000011
【図１０】
2006257771.tif 000012
【図１１】
2006257771.tif 000013
【図１２】
2006257771.tif 000014
【図１３】
2006257771.tif 000015
【図１４】
2006257771.tif 000016
【図１５】
2006257771.tif 000017
【図１６】
2006257771.tif 000018
【図１７】
2006257771.tif 000019
【図１８】
2006257771.tif 000020
【図１９】
2006257771.tif 000021